(57)【特許請求の範囲】
【請求項１】
通気機構を有するドアにおいて、
前記通気機構は、
扉体の屋外側面部に形成された屋外側開口と、
扉体の屋内側面部に形成された屋内側開口と、
屋外側開口と屋内側開口とを連通させる通気手段と、を有し、
前記通気手段は、
扉体内部空間に、屋外側面部及び屋外側開口に対向して延出する正面壁を設けて、正面壁の前側の屋外側開口に面する屋外側空間と、正面壁の後側の屋内側面部に連通する屋内側空間と、を形成し、
屋外側空間と屋内側空間とは、これら空間の側方側の領域に形成された側方空間を介して連通しており、
前記側方空間には、複数の中間壁が設けられ、前記中間壁には、扉体の高さ方向に間隔を存して複数の開口が形成されており、隣り合う中間壁に形成された開口は、高さ方向に互い違いに形成されており、屋外側空間と屋内側空間とは前記中間壁の前記開口を介して連通されている、通気機構を有するドア。
【請求項２】
前記屋外側空間に、正面壁の見付方向端部に位置し、扉体の見込方向に延出する側面壁を設け、屋外側空間と前記側方空間とを、側面壁に形成した開口、あるいは、側面壁と正面壁との間に形成された開口、を介して連通してなる、請求項１に記載の通気機構を有するドア。
【発明の詳細な説明】
【技術分野】
【０００１】
本発明は、通気機構を有するドアに関するものである。
【背景技術】
【０００２】
室内外の通気を行うため、玄関ドアに通気機能を持たせたい場合がある。通気機構を特に玄関ドアに設ける場合には、（１）通気機構を介して屋内側が見えてしまうこと、（２）雨水が屋内側に浸入すること、（３）通気機構がドアの外観の意匠を損ねること、を防止する必要がある。
【０００３】
通気機能を有する玄関ドアは、例えば、特許文献１に開示されている。特許文献１のドアは、ドアの屋外側面に飾りパネルを設けることで、前記（１）、（３）を防止するものであるが、飾りパネル自体も通気機構の構成要素となっており、通気機構がドアの屋外側面より突出するため、依然として意匠上の課題がある。また、特許文献１のドアは、（２）雨水の侵入、については全く手当されていない。
【特許文献１】特開２００３−２６２０７６号
【発明の開示】
【発明が解決しようとする課題】
【０００４】
本発明は、（１）通気機構を介して屋内側が見えてしまうこと、（２）雨水が屋内側に浸入すること、（３）通気機構がドアの外観を損ねること、を同時に防止することができる通気機構を備えたドアを提供することを目的とする。
【課題を解決するための手段】
【０００５】
かかる課題を達成するために本発明が採用した技術手段は、通気機構を有するドアにおいて、前記通気機構は、扉体の屋外側面部に形成された屋外側開口と、扉体の屋内側面部に形成された屋内側開口と、屋外側開口と屋内側開口とを連通させる通気手段と、を有し、前記通気手段は、扉体内部空間に、屋外側面部及び屋外側開口に対向して延出する正面壁を設けて、正面壁の前側の屋外側開口に面する屋外側空間と、正面壁の後側の屋内側面部に連通する屋内側空間と、を形成し、屋外側空間と屋内側空間とは、これら空間の側方側の領域に形成された側方空間を介して連通しており、前記側方空間には、複数の中間壁が設けられ、前記中間壁には、扉体の高さ方向に間隔を存して複数の開口が形成されており、隣り合う中間壁に形成された開口は、高さ方向に互い違いに形成されており、屋外側空間と屋内側空間とは前記中間壁の前記開口を介して連通されている。
【０００６】
一つの好ましい態様では、前記屋外側空間に、正面壁の見付方向端部に位置し、扉体の見込方向に延出する側面壁を設け、屋外側空間と前記側方空間とを、側面壁に形成した開口、あるいは、側面壁と正面壁との間に形成された開口、を介して連通してなる。後述する実施例では、正面壁と側面壁とは一部材から構成され、側面部は正面部の見付方向端部より延出し、側面部に開口が形成されているが、正面壁と側面壁を別部材から構成し、側面壁の屋内側端部と正面壁との間に開口を形成してもよい。
【０００８】
好ましくは、前記通気手段は、前記屋内側開口を開状態と閉状態に切り替える手段を有する。
【発明の効果】
【０００９】
（１）扉体内部空間には、屋外側開口に対向して正面壁を設けたので、屋外側開口を通して外部から屋内側を覗くことはできない。
（２）屋外側開口に面する屋外側空間と屋内側開口に連通する屋内側空間とを連通する領域に、中間壁を設け、中間壁に形成した開口を介して屋外側空間と屋内側空間を連通させたので、雨水の侵入が良好に防止される。特に複数の中間壁を設け、中間壁には、扉体の高さ方向に間隔を存して複数の開口が形成されており、隣り合う中間壁に形成された開口は、高さ方向に互い違いに形成されている、ものでは、雨水の侵入を効果的に防止することができる。
（３）通気機構が、扉体の屋外側面部に形成された屋外側開口と、扉体の屋内側面部に形成された屋内側開口と、扉体の内部に配設された通気手段とから構成されているので、通気機構を構成する部材が扉体面部から突出することがなく、意匠性に優れる。
（４）屋外側空間を、正面壁の見付方向端部に位置し、扉体の見込方向に延出する側面壁で区画し、屋外側空間と前記側方領域とを側面壁に形成した開口を介して連通したものでは、屋外側開口に対して垂直状に延出する側面壁が良好に雨水の侵入を防止する。また、側面壁は、屋外側開口の外側に位置し、扉体の見込方向に延出するので、扉体の屋外側面部を正面視した場合において、側面壁及び側面壁に形成した開口が見えることがなく、外観が良好である。
【発明を実施するための最良の形態】
【００１０】
図１左図は玄関用ドアに用いる扉体１の屋外側正面図、右図は扉体１の屋内側正面図である。扉体１は、正面視縦長方形状であり、屋外側の面部２、屋内側の面部３、を有している。扉体１の内部には、屋外側に位置してガラリ機構Ｌが、屋内側に位置してレジスタ機構Ｒが、それぞれ設けてある。図示の例では、ガラリ機構Ｌ及びレジスタ機構Ｒは、扉体１の面部２，３の幅方向中央に位置して扉体１の高さ方向に延出している。扉体１の屋外側面部２には、正方形状の開口４０が等間隔で高さ方向に連続状に配設されており、開口４０の両側には、扉体１の高さ方向に延出する化粧モール１０が装着されている。扉体１の屋内側面部３には、正方形状の開口８０が等間隔で高さ方向に連続状に配設されており、開口８０の両側には、扉体１の高さ方向に延出する化粧モール１０が装着されている。屋外空間に連通するガラリ機構Ｌと屋内空間に連通するレジスタ機構Ｒは、扉体１の内部において連通しており、ガラリ機構Ｌとレジスタ機構Ｒとで、扉体１の通気機構を構成している。
【００１１】
扉体１の構成について詳述する。図５、図６に示すように、扉体１は、上枠１ａ、下枠１ｂ、戸先側竪枠１ｄ、戸尻側竪枠１ｃ、からなる四周状のフレームを有し、四周状のフレームに面部２，３を構成する表面材２ａ，３ａを貼り付けることで構成されている。扉体１には、幅方向中央部位に空間を形成するようにして左右の内部竪枠１ｅ、上下の内部横枠１ｆが内蔵されており、内部竪枠１ｅ、内部横枠１ｆ間に形成される空間に対応する部位には表面材２ａ，３ａが設けられておらず、当該空間の屋外側、屋内側は共に開口状となって、当該空間によって屋外側と屋内側とが連通しており、当該空間の屋外側にはガラリ機構Ｌが、屋内側にはレジスタ機構Ｒが、それぞれ設けてある。
【００１２】
図示の例では、ガラリ機構Ｌは、第１枠体４と、第２枠体５と、第３枠体６と、第４枠体７と、から構成されている。
【００１３】
第１枠体４は、内部竪枠１ｅ間に形成された空間の幅と略同じ幅寸法を有し、扉体１の高さ方向かつ見付方向に延出する縦長板状部材である。第１枠体４の面部の幅方向中央部位には、高さ方向に所定の等間隔を存して複数の正方形状の開口４０が形成されている。開口４０は、扉体１の屋外側面部２に形成された屋外側開口を構成する。第１枠体４は、幅方向両端部が屋外側面部２（図示の例では、内部竪枠１ｅに固定された第４枠体に対して取り付けられる）への装着部４１を形成していると共に、第１枠体４の面部の中央部位の開口４０の両側には屋外側に突出する平面視コ字状の突部４２が形成されており、突部４２の内側に凹部４２０が形成されている。第１枠体４の突部４２の内側に形成された凹部４２０は、扉体のガラリ機構Ｌに浸入した雨水を排出するための水抜き手段を構成している。本発明では、後述する中間壁６０，６１，６２によって、雨水の浸入を可及的に防止しているが、仮に雨水が浸入した場合には、浸入した雨水を排出する必要がある。具体的には、図６の右図に示すように、ガラリ機構Ｌの下方部位には、水受プレート７００が設けてあり、水受プレート７００の屋外側先端は凹部４２０に達しており、水受プレート７００上に落下あるいは滴下した雨水は、水受プレート７００に案内されて凹部４２０に向かい、凹部４２０の下端の開口から屋外に排出される。一つの態様では、水受プレート７００は、後述する第４枠体７の下方部位に設けられるが、水受プレート７００が設けられる部位はこれには限定されない。
【００１４】
第２枠体５は、扉体１の高さ方向に延出する長手部材であり、扉体１の屋外側面部２（第１枠体４の面部及び開口４０）に対向して扉体１の屋外側面部２に平行して延出する正面壁５０と、正面壁５０の見付方向（幅方向）両端部より、正面壁５０に対して垂直状に、扉体１の見込方向に延出する左右の側面壁５１とを有する。正面壁５０の見付寸法（幅寸法）は、開口４０の幅寸法よりも若干大きい寸法となっており、扉体１の屋外側面部２を正面視した場合には、開口４０を介して正面壁５０が見えるようになっている。扉体１を正面から見た場合の美観を考慮すると、正面壁５０に、屋外側の開口４０の幅寸法以上の見付寸法を持たせることで、開口４０からは正面壁５０のみが見えるようにすることが望ましい。正面壁５０には、通気のための開口は設けられていない。扉体内部空間に正面壁５０を設けることで、正面壁５０の前側には、屋外側開口に面する屋外側空間Ｓ１が、正面壁５０の後側には、屋内側面部８０に連通する屋内側空間Ｓ３が形成される。屋外側空間Ｓ１と屋内側空間Ｓ３とは、これら空間の側方の領域に形成された側方空間Ｓ２を介して連通している。開口４０に面する屋外側空間Ｓ１は、正面壁５０と左右の側面壁５１によって囲繞される。左右の側面壁５１には、高さ方向に間隔を存して複数の開口５２が形成されている。屋外側空間Ｓ１は、側面壁５１に形成された開口５２を介して、側面壁５１の外側に形成された側方空間Ｓ２と連通しており、側方空間Ｓ２は屋内側空間Ｓ３に連通している。側面壁５１の基端側、先端側には、対向状の溝部を形成するように、平面視コ字状の係止部５３，５４がそれぞれ形成されており、係止部５３，５４によって形成される溝を介して防虫メッシュ材５５を装着して、防虫メッシュ材によって開口５２を覆うようになっている。さらに、側面壁５１の先端側には段差状の装着部５６が一体形成されており、第２枠体５は、装着部５６を介して、第１枠体４の突部４２の内側面に装着される。
【００１５】
第３枠体６は、第２枠体５の側面壁５１の外側に形成された側方空間Ｓ２に位置して設けられ、屋外側空間Ｓ１と屋内側空間Ｓ３とは、第３枠体６が配置された側方空間Ｓ２を介して連通する。第３枠体６は、扉体１の高さ方向に延出する長手部材である。第３枠体６は、互いに直交する板状体から平面視十字状に形成されており、互いに９０度の角度をもって延出する第１壁６０、第２壁６１、第３壁６２、第４壁６３を有している。第１壁６０、第２壁６１、第３壁６２が外側空間Ｓ２に設けられた中間壁を構成する。
【００１６】
第１壁６０は、第２枠体５の側面壁５１と略同じ幅寸法を有し、側面壁５１に間隔を存して対向して平行状（扉体１の見込方向）に延出している。第１壁６０の先端側には折曲片６００が一体形成されており、第２枠体５は、第１壁６０の折曲片６００を介して、第１枠体４の突部４２の内側面に装着される。第１壁６０の面部には、高さ方向に間隔を存して複数の開口６０１が形成されている。
【００１７】
第２壁６１は、第１壁６０に対して垂直方向（扉体１の見付方向）に延出しており（第２枠体５の正面壁５０の面と略同一面上に延出する）、また、高さ方向に間隔を存して複数の切り欠き状の開口６１０が形成されている。図１１に示すように、第１壁６０に形成された開口６０１と第２壁６１に形成された開口６１０とは、高さ方向に互い違いに位置するように形成されており、開口６０１と開口６１０との高さ方向の位置が完全に一致しないようになっている。尚、高さ方向に互い違いに位置するように形成された開口６０１と開口６１０は、高さ方向に部分的に一致していても、雨水の侵入を防止する効果を有する。
【００１８】
第３壁６２は、第２壁６１に対して垂直方向（扉体１の見込方向）に延出しており、また、高さ方向に間隔を存して複数の切り欠き状の開口６２０が形成されている。図１１に示すように、第２壁６１に形成された開口６１０と第３壁６２に形成された開口６２０とは、高さ方向に互い違いに位置するように形成されており、開口６１０と開口６２０との高さ方向の位置が完全に一致しないようになっている。尚、図示の例では、第３壁６２に形成された開口６２０と第１壁６０に形成された開口６０１とは高さ方向に一致している。第４壁６３は、第３壁６２に対して垂直方向に延出しており、先端には係合凹部６３０が形成されており、第２枠体５の側面部５１の基端側に形成された係止部５３の外側に係合するようになっている。第４壁６３には開口は形成されておらず、第４壁６３を挟んだ屋外側の空間と屋内側の空間とが第４壁を介して直接連通しないようになっている。
【００１９】
第４枠体７は、扉体１の面部２，３に対向して延出する底面７０と底面７０に対して垂直状に延出する左右の側面７１と、側面７１の先端から垂直状に延出する装着部７２を有し、装着部７２を介して、内部竪枠１ｅ、内部横枠１ｆ間に形成された空間内に取り付けられる。第４枠体７を、扉体１の内部竪枠１ｅ、内部横枠１ｆ間に形成される空間に配設することで、第４枠体７の底面７０の屋外側にガラリ機構Ｌを設ける空間を形成し、底面７０の屋内側にレジスタ機構Ｒを設ける空間を形成する。底面７０と左右の側面７１とで形成されるガラリ機構Ｌのための空間の開口を覆うように第１枠体４が取り付けられ、当該空間には、さらに、第２枠体５、第３枠体６が設けられる。底面７０には、高さ方向に間隔を存して複数の開口７３が形成されている。尚、開口７３は一つでもよい。第２枠体５の正面壁５０の屋内側空間Ｓ３は、開口７３を介して開口８０と連通する。
【００２０】
扉体１に対するガラリ機構Ｌの取り付けについて説明する。第４枠体７は内部竪枠１ｅに取り付けられる。第４枠体７の装着部７２を内部竪枠１ｅの屋外側見付面に当接させて、螺子１１によって装着部７２と内部竪枠１ｅを固定する。第１枠体４は、第４枠体７に取り付けられる。第１枠体４の装着部４１を第４枠体７の装着部７２に重ね合わせて、ブラインドリベット１２によって、第１枠体４の装着部４１を第４枠体７の装着部７２に固定する。第２枠体５及び第３枠体６は、第１枠体４に取り付けられる。第２枠体５の装着部５６及び第３枠体６の第１壁６０の折曲片６００を、第１枠体４の突部４２の内側面に重ね合わせてブラインドリベット１３によって、これらを固定する。この状態で、第４壁６３の先端の係合凹部６３０は、第２枠体５の側面部５１の基端側に形成された係止部５３の外側に係合している。
【００２１】
このように複数の枠体４，５，６，７から構成されたガラリ機構Ｌにおいて、屋外側面部２に形成された開口を構成する第１枠体４の開口４０から取り入れられた空気は、第２枠体５の側面壁５１に形成された開口５２、第３枠体６の第１壁６０に形成された開口６０１、第３枠体６の第２壁６１に形成された開口６１０、第３枠体６の第３壁６２に形成された開口６２０、第４枠体７の底面７０に形成された開口７３を通って、レジスタ機構Ｒへと送られる。各開口４０，５２，６０１，６１０，６２０，７３は、扉体１の厚さ内において、互いに角度をもって配設されているので、雨水の侵入を良好に防止することができる。具体的には、開口４０と開口５２，６０１、開口６０１と開口６１０、開口６１０と開口６２０、開口６２０と開口７３とは、互いに９０度の角度をもって配設されている。さらに、第２枠体６の第１壁６０、第２壁６１、第３壁６２にそれぞれ形成された開口６０１，６１０，６２０は高さ方向において互い違いにズレているので、雨水の侵入を効果的に防止することができる。第２枠体５の正面壁５０には、開口が形成されていないので、扉体１の屋外側面２に形成された開口である第１枠体４の開口４０から屋内側が見えることがない。また、第２枠体５の側面壁５１は、開口４０の外側に位置していると共に、扉体１の見込方向に延出しているので、扉体１の屋外側面部２を正面視した場合に、第２枠体５の側面壁５１や側面壁５１に形成された開口５２が見えることが無く、また、扉体１の屋外側面部２の幅方向中央部位に、高さ方向に等間隔を存して配設した複数の方形状の開口４０が扉体１の屋外側面部２にデザイン性を付与するので、美観が良好であり、意匠性に優れる。
【００２２】
図示の例では、レジスタ機構Ｒは、第１枠体８と、第１枠体８に対して高さ方向に可動の第２枠体９とを有する。
【００２３】
第１枠体８は、内部竪枠１ｅ間に形成された空間の幅と略同じ幅寸法を有し、扉体面部の高さ方向に延出する縦長部材である。第１枠体８の面部の幅方向中央部位には、高さ方向に所定間隔を存して複数の開口８０が形成されている。開口８０は、扉体１の屋内側面部３に形成された屋内側開口を構成する。第１枠体８は、幅方向両端部が面部３（内部竪枠１ｅ）への装着部８１を形成している。第１枠体８の装着部８１は螺子１４を介して、内部竪枠１ｅの屋内側見付面に固定される。第１枠体８の面部の裏面側には、幅方向中央部位の両側に位置して、平面視Ｌ形状のガイド片８２が対向状に形成されている。ガイド片８２によって形成される溝内に第２枠体９が上下方向に移動可能に受け入れられる。第１枠体８の表面側には、中央部位の両側に位置して、化粧モール１０の幅方向端部が当接する突起８３が形成されている。
【００２４】
第２枠体９は、高さ方向に延出する板状部材であって、面部には、高さ方向に間隔を存して複数の開口９０が形成されており、面部の屋内側には屋内側から操作可能なつまみ９１が設けてある。第２枠体９は、第１枠体８に対して、つまみ９１によって、上下方向に移動自在となっており、第１枠体８に形成された開口８０と第２枠体９に形成された開口９０を一致させることで、第２枠体５の正面壁５０の屋内側空間Ｓ３は、第４枠体７の底面７０に形成された開口７３を介して、屋内空間と連通して、通気が可能となる。第２枠体９を第１枠体８に対して上下方向に移動させて、第２枠体９によって、第１枠体８の開口８０を塞ぐことで、通気が遮断される。第２枠体９の幅方向両端部には、折曲片９２が形成されており、折曲片９２を介して防虫メッシュ材９３を装着可能となっている。図示の例では、二つの第２枠体９が設けてあり、第１枠体８に対してそれぞれ独立に可動となっている。尚、第２枠体９は一つでもよい。
【００２５】
本発明の一つの態様では、扉体１の屋外側面部２、屋内側面部３には、ガラリ機構Ｌの屋外側に面する開口４０、レジスタ機構Ｒの屋内側に面する開口８０、の両側にそれぞれ位置して、化粧モール１０が装着されている。化粧モール１０は、所定の幅寸法、及び、扉体１の高さ寸法と略同じ高さ寸法を有する長尺部材である。化粧モール１０は、扉体１の屋外側面部２に対するガラリ機構Ｌの装着部位、扉体１の屋内側面部３に対するレジスタ機構Ｒの装着部位、を被覆する寸法・形状を有している。具体的には、ガラリ機構Ｌにおいては、化粧モール１０は、第１枠体４に第２枠体５、第３枠体６を装着するブラインドリベット１２、第４枠体７を内部竪枠１eに装着する螺子１１、第１枠体４を第４枠体７に装着するブラインドリベット１３、を被覆して隠蔽している。レジスタ機構Ｒにおいては、化粧モール１０は、第１枠体８を内部竪枠１eに装着する螺子１４を被覆して隠蔽している。したがって、扉体１を正面視した場合に、屋外側面部２、屋内側面部３には、開口４０、８０と化粧モール１０のみが見えるようになっており、螺子等が露出することがなく、扉体１は意匠性に優れる。
【００２６】
化粧モール１０の長さ方向端部の端面はキャップ１００によって被覆されていると共に、キャップ１００には、図示しない嵌合突部が形成されている。第１枠体４，８の高さ方向上下端部に位置して、嵌合受孔４００，８００が形成されている。化粧モール１０の上下端部に装着したキャップ１００に形成された嵌合突部を、嵌合受孔４００，８００に嵌合させることで、化粧モール１０は、キャップ１００を介して扉体面部２，３（第１枠体４，８）に装着される。化粧モール１０は、キャップ１００を用いることで、螺子等を用いずに、扉体面部２，３に装着されるので、螺子等が露出することがなく、意匠性に優れる。第１枠体４，８には、嵌合受孔４００，８００を通る鉛直軸線上に位置して、高さ方向に所定間隔を存して複数の係止孔４０１，８０１が形成されている。係止孔４０１，８０１は、第１枠体４，８に対する化粧モール１０の位置決め用係止部材１５の係止孔である。係止部材１５を枠体４，８に形成された係止孔４０１，８０１に係止することによって、扉体１の面部２，３に対する化粧モール１０の幅方向の移動を規制する。
【産業上の利用可能性】
【００２７】
本発明に係る通気機構を有するドアは、好ましくは、玄関用ドアに用いることができる。
【図面の簡単な説明】
【００２８】
【図１】左図は扉体の屋外側正面図、右図は屋内側正面図である。
【図２】扉体の部分横断面図である。
【図３】図２において、扉体を通る通気の流れを示す図である。
【図４】上図はレジスタ機構を示す断面図、下図はガラリ機構を示す断面図である。
【図５】扉体の横断面図である。
【図６】扉体の部分横断面図、扉体の一部省略正面図、扉体の縦断面図である。
【図７】左図はガラリ機構の正面図、右図はガラリ機構の背面図である。
【図８】ガラリ機構を構成する第１枠体の正面図、横断面図、正面図の部分拡大図である。
【図９】ガラリ機構を構成する第１枠体、第２枠体、第３枠体からの組立体の背面図、横断面図、背面図の部分拡大図である。
【図１０】ガラリ機構を構成する第４枠体の背面図、横断面図、背面図の部分拡大図である。
【図１１】ガラリ機構を構成する第３枠体を、３方向からそれぞれ見た側面図、平面図、及び、側面図の部分拡大図である。
【図１２】ガラリ機構を構成する、防虫メッシュ材を設けた第２枠体の横断面図、側面図、側面図の部分拡大図である。
【図１３】ガラリ機構を構成する第２枠体の左側面図、背面図、右側面図、横断面図、左側面図の部分拡大図である。
【図１４】レジスタ機構の正面図、背面図、正面図の部分拡大図、横断面図、背面図の部分拡大図である。
【図１５】レジスタ機構を構成する第１枠体の正面図、側面図、背面図、横断面図、背面図の部分拡大図である。
【図１６】レジスタ機構を構成する、防虫メッシュ材を備えた第２枠体の正面図、防虫メッシュ材の正面図、防虫メッシュ材を備えた第２枠体の横断面図、防虫メッシュ材を備えた第２枠体の正面図の部分拡大図である。
【図１７】レジスタ機構を構成する第２枠体の正面図、横断面図、正面図の部分拡大図である。
【符号の説明】
【００２９】
１  扉体
２  屋外側面部
３  屋内側面部
４０  開口
５０  正面壁
５１  側面壁
５２  開口
６０  第１壁
６０１  開口
６１  第２壁
６１０  開口
６２  第３壁
６２０  開口
７３  開口
８０  開口
Ｌ    ガラリ機構
Ｒ    レジスタ機構
Ｓ１  屋外側空間
Ｓ２  側方空間
Ｓ３  屋内側空間
【図１】
0004684803.tif 000002
【図２】
0004684803.tif 000003
【図３】
0004684803.tif 000004
【図４】
0004684803.tif 000005
【図５】
0004684803.tif 000006
【図６】
0004684803.tif 000007
【図７】
0004684803.tif 000008
【図８】
0004684803.tif 000009
【図９】
0004684803.tif 000010
【図１０】
0004684803.tif 000011
【図１１】
0004684803.tif 000012
【図１２】
0004684803.tif 000013
【図１３】
0004684803.tif 000014
【図１４】
0004684803.tif 000015
【図１５】
0004684803.tif 000016
【図１６】
0004684803.tif 000017
【図１７】
0004684803.tif 000018